(57)【特許請求の範囲】
【請求項１】
容器本体と、前記容器本体の開口部を開閉する栓体を有する飲料用容器であって、
前記栓体は、上栓、中栓、栓カバー及び中栓パッキンを有し、
前記中栓は、無孔の底壁部を有し、
前記中栓パッキンは、第１当接部及び第２当接部を有する単一部品であり、
前記中栓と前記栓カバーとは前記中栓パッキンの前記第１当接部を介して嵌合し、
前記上栓と前記中栓とはネジ結合し、
前記上栓と、前記中栓と、前記栓カバーとは分解可能であり、
前記栓体を前記開口部に閉栓後、前記中栓パッキンの前記第２当接部は前記開口部の上部に当接することを特徴とする飲料用容器。
【請求項２】
容器本体と、前記容器本体の開口部を開閉する栓体を有する飲料用容器であって、
前記栓体は、上栓、中栓、栓カバー及び中栓パッキンを有し、
前記中栓は、無孔の底壁部を有し、
前記中栓と前記栓カバーとは前記中栓パッキンを介して嵌合し、
前記上栓と前記中栓とはネジ結合し、前記上栓の下部領域と前記中栓の上部領域とで閉空間を形成し、
前記上栓と、前記中栓と、前記栓カバーとは分解可能であり、
前記栓体を前記開口部に閉栓後、前記中栓パッキンは前記開口部の上部に当接することを特徴とする飲料用容器。
【発明の詳細な説明】
【技術分野】
【０００１】
本願発明は、飲料を入れる飲料用容器であり、容器本体の栓体を開けるだけで飲料容器内の飲料を飲むことができる飲料用容器の栓体構造に関するものである。
【背景技術】
【０００２】
従来、冷水、湯、コーヒー等の飲料物を入れて持ち運びする携帯用のステンレスボトル等の飲料用容器が知られている。ステンレスボトルは、例えば飲料物を入れる容器本体を真空二重構造とし、容器本体の開口部を閉鎖する栓体を複数部材から構成し、その内部に断熱空間を形成して断熱を図っている。
【０００３】
従来のステンレスボトルの一例を図９（容器本体の全体は図１のものと同じ）に示す。
【０００４】
ステンレスボトルは、容器本体１及び栓体２からなる。容器本体１は、内ケース１ａ及び外ケース１ｂを有し、内ケース１ａと外ケース１ｂの間の内部空間１ｃは真空とされ、その上部には開口部３を有する飲み口４が形成される全体として真空２重構造の容器である。
【０００５】
また、栓体２は、上栓２ａと中栓２ｂと栓カバー２ｃの３部材からなり、上栓２ａの外周には上栓外周ネジ２ａａを有し、中栓２ｂの内周には中栓内周ネジ２ｂａを有し、中栓２ｂの外周には中栓外周ネジ２ｂｂを有する。
【０００６】
そして、中栓２ｂの上部上面と栓カバー２ｃの上部下面は溶着されて一体化され、両部材の間に下方開口の幅の狭い環状溝５を有する。上栓２ａと、一体化された中栓２ｂ及び栓カバー２ｃとは、上栓２ａの上栓外周ネジ２ａａを中栓２ｂの中栓内周ネジ２ｂａに螺合することにより一体化されて栓体２が形成される。
【０００７】
閉栓時には、中栓２ｂの中栓外周ネジ２ｂｂを内ケース１ａの上部内周に設けられる内ケース内周ネジ１ａａに螺合する。すると、栓体２の環状溝５に飲み口４が嵌入し、中栓２ｂの下端外周に設けられる栓体パッキン６が開口部３を閉鎖する。
【０００８】
ところで、このような栓体２は、上記環状溝５に汚れが溜まりやすいが、環状溝５は幅が狭く、中栓２ｂと栓カバー２ｃとは一体化されているため、きれいに洗いにくい。
【０００９】
また、飲み口４の上端と環状溝５の内底面は離れており、特に断熱のための工夫がなされていないため、場合によってはこの箇所に結露したり、或いはこの箇所より放熱作用が生じ容器本体１内の飲料物が暖まったりまたは冷えたりする弊害が生じる。
【先行技術文献】
【特許文献】
【００１０】
【特許文献１】特開平１０−２７２０６８号公報
【発明の概要】
【発明が解決しようとする課題】
【００１１】
本願発明の目的は、栓体を分解可能にすることにより、環状溝等の洗いにくい箇所の洗浄を容易にし、または、飲み口の結露を防止する飲料用容器を提供することである。
【課題を解決するための手段】
【００１２】
上記目的を達成するため、本願発明は以下の構成を採用する。
【００１３】
請求項１に係る発明では、容器本体と、前記容器本体の開口部を開閉する栓体を有する飲料用容器であって、前記栓体は、上栓、中栓、栓カバー及び中栓パッキンを有し、前記中栓は、無孔の底壁部を有し、前記中栓パッキンは、第１当接部及び第２当接部を有する単一部品であり、前記中栓と前記栓カバーとは前記中栓パッキンの前記第１当接部を介して嵌合し、前記上栓と前記中栓とはネジ結合し、前記上栓と、前記中栓と、前記栓カバーとは分解可能であり、前記栓体を前記開口部に閉栓後、前記中栓パッキンの前記第２当接部は前記開口部の上部に当接する構成。
【００１４】
請求項２に係る発明では、容器本体と、前記容器本体の開口部を開閉する栓体を有する飲料用容器であって、前記栓体は、上栓、中栓、栓カバー及び中栓パッキンを有し、前記中栓は、無孔の底壁部を有し、前記中栓と前記栓カバーとは前記中栓パッキンを介して嵌合し、前記上栓と前記中栓とはネジ結合し、前記上栓の下部領域と前記中栓の上部領域とで閉空間を形成し、前記上栓と、前記中栓と、前記栓カバーとは分解可能であり、前記栓体を前記開口部に閉栓後、前記中栓パッキンは前記開口部の上部に当接する構成。
【発明の効果】
【００１６】
請求項１、２に係る発明では、中栓と栓カバーとは中栓パッキンを介して嵌合し、上栓と中栓とはネジ結合し、上栓と、中栓と、栓カバーとを分解可能にすることにより、例えば上栓にメッキを施したものであれば、上栓を取外し、メッキが損傷するような例えば食洗機での洗浄を避けることができる。また、中栓と栓カバーが分解可能なため、幅の狭い環状溝等の洗浄を容易に行うことができる。
【００１７】
また、閉栓後において、中栓パッキンは開口部の上部である飲み口部に当接する。そのため、飲み口部が結露する弊害を防止できるとともに、この箇所を解しての放熱を防止することができる。
【図面の簡単な説明】
【００１９】
【図１】飲料用容器の全体断面図
【図２】飲料用容器の栓体の一部拡大断面図
【図３】（Ａ）は栓体の平面図、（Ｂ）は栓体の正面図
【図４】容器本体の飲み口部に飲み口リングを嵌合した容器本体から栓体を取り外した状態を示す斜視図
【図５】（Ａ）は栓体を斜め上方から見た斜視図、（Ｂ）は栓体を斜め下方から見た斜視図
【図６】上栓を、中栓及び栓カバーを一体に嵌合したものから取り外した状態を示す斜視図
【図７】（Ａ）は上栓を分解した状態を斜め上方から見た斜視図、（Ｂ）は上栓を分解した状態を斜め下方から見た斜視図
【図８】栓体を上栓と、栓カバーと、中栓ユニットとに分解した状態を斜め上方から見た斜視図
【図９】従来の飲料用容器の一部拡大断面図
【実施例】
【００２０】
図１に本願発明の飲料用容器の全体断面図を示し、図２に栓体の一部拡大断面図を示し、図３〜図８に栓体の各部品の分解図等を示す。本願発明の飲料用容器は、内部に飲料物を入れるものであればどのようなものでもよい。以下においては携帯用のステンレスボトルを用いて説明する。
【００２１】
ステンレスボトルは、容器本体１０と栓体２０を有する。容器本体１０は、内ケース１１、外ケース１２及び底板１３を有する。内ケース１１は、上部に開口部１４を有する容器状のステンレス製の部材であり、その上部内周には内ケース内周ネジ１５を有する。
【００２２】
前記外ケース１２は、上下が開口した略筒状のステンレス製の部材であり、その上部は小径部１６とされ、その小径部１６の外周には外ケース外周ネジ１７を有する。前記底板１３は、皿状のステンレス製の部材である。
【００２３】
外ケース１２の下端と底板１３の上端は溶着され、更に、内ケース１１の上端と外ケース１２の小径部１６の上端は溶着されて内ケース１１と外ケース１２と底板１３との間に内部空間１８を形成し、この内部空間１８を真空引きすることにより保温性能が高い真空二重構造体を形成している。
【００２４】
前記栓体２０は、上栓２１、栓カバー３０及び中栓４０を有し、その一部拡大断面図を図２に示し、その平面図を図３（Ａ）に示し、その正面図を図３（Ｂ）に示し、容器本体１０から取り外した状態を図４に示し、その上方または下方から見た状態を図５（Ａ）または（Ｂ）に示し、各部材を取り外した状態を図６〜図８に示す。
【００２５】
前記上栓２１は、さらに上蓋２２、蓋カバー２３及び内蓋２４を有し、それらを図７に示す。前記上蓋２２は、平板状の円板部２２ａと４個の係止片２２ｂを有し、４個の係止片２２ｂは、その先端に係止爪２２ｃを有する樹脂部材であり、円板部２２ａの下面から下方に垂下する形態で同一円周上に略等間隔に設けられる。
【００２６】
蓋カバー２３は、その外周に下方に短く垂下するスカート部２３ａを有する平面視円形で、縦断面キャップ状の樹脂部材で、その表面にはメッキ処理２３ｆ（図３参照）が施され、その上部中央には、内蓋２４の上部が嵌合する略円形の中央開口２３ｂを有する。中央開口２３ｂは、対向する外周の一部が直線部２３ｃとされており、内蓋２４の小径部２４ａが嵌合する場合に位置決めとして利用される。
【００２７】
また、中央開口２３ｂには、上蓋２２の４個の係止片２２ｂが嵌り込む４個の嵌入溝２３ｄと、内蓋２４の小径部２４ａの外周に略環状に形成される係合溝２４ｄが係合する係止部２３ｅが内周面に沿って内方に突き出る形態で略環状に設けられている。
【００２８】
内蓋２４は、下方が開口した中空で筒状の樹脂部材で、上部の小径部２４ａと下部の大径部２４ｂを有する。小径部２４ａは、対向する外周の一部が直線部２４ｃとされる平面視略円形で高さの低い部分で、その外周には係合溝２４ｄが外周面に沿って内方に凹む形態で設けられている。大径部２４ｂは、小径部２４ａの下方に位置し、その外周には後記中栓４０の中栓内周ネジ４５に螺合する内蓋外周ネジ２４ｅを有する。
【００２９】
上栓２１は以下のように組み立てられる。まず、内蓋２４を蓋カバー２３に組付ける。内蓋２４の上方に蓋カバー２３を置き、内蓋２４の小径部２４ａと蓋カバー２３の中央開口２３ｂを合わせる。その場合、小径部２４ａの直線部２４ｃと中央開口２３ｂの直線部２３ｃを合わせる。
【００３０】
そして、内蓋２４の小径部２４ａを蓋カバー２３の中央開口２３ｂ内に押し込む。すると、中央開口２３ｂの係止部２３ｅが小径部２４ａの係合溝２４ｄに係合する。このような無理ばめにより両部材は一体化される。
【００３１】
次いで、一体化された両部材の上方に上蓋２２を置き、上蓋２２の４個の係止片２２ｂと、蓋カバー２３の４個の嵌入溝２３ｄを合わせて４個の係止片２２ｂを４個の嵌入溝２３ｄに嵌入し、上方から力を加えて、上蓋２２の４個の係止爪２２ｃを内蓋２４の小径部２４ａの係合溝２４ｄに係合する。このような無理ばめにより３部材は一体化される。
【００３２】
上記したように蓋カバー２３は、メッキ処理２３ｆされており、食洗機での洗浄は避けられる。なお、この上栓２１は、１部材ないし２部材で形成しても、メッキ処理２３ｆを施さないものであってもよい。
【００３３】
前記栓カバー３０は、その外周に下方に垂下するスカート部３１を有する平面視円形で、縦断面キャップ状の樹脂部材で、その上部中央には、中栓４０の上端部が嵌入する円形の中央開口３２を有する。また、中央開口３２には、外方へ窪んだ平面視コ字状の窪み３３が径方向に対向して２個設けられ、さらに中央開口３２の内周下端には内方にわずかに張り出してなる略環状の突起３４が窪み３３を除いて設けられている。
【００３４】
前記中栓４０は、上方が開口した有底で中空の容器状の樹脂部材であり、その上端外周には、２個の平面視コ字状で水平のフランジ４１が外方に張り出す形態で径方向に対向して設けられている。
【００３５】
また、その外周には、上方から下方にかけて中栓パッキン４７を嵌合するための上部嵌合溝４２と、上記内ケース１１の内ケース内周ネジ１５に螺合する中栓外周ネジ４３と、栓体パッキン５２を嵌合するための下部嵌合溝４４を有し、その内周には、上記上栓２１の内蓋２４の内蓋外周ネジ２４ｅが螺合する中栓内周ネジ４５を有する。
【００３６】
なお、中栓内周ネジ４５は、左右に対向して配置される上下２条の傾斜突起として形成され、その形成を容易にしている。また、内蓋外周ネジ２４ｅまたは／及び中栓内周ネジ４５の最後の方のネジの傾きを変えることにより螺合後のゆるみ止めにすることができる。上栓２１、栓カバー３０及び中栓４０を取り外した状態を図８に示す。
【００３７】
中栓パッキン４７は、リング状のシリコン製の部材であり、中栓４０の上部嵌合溝４２に嵌合される。中栓パッキン４７は、その上端に外方に張り出してなる水平で且つ長さの短い環状の上部張出部４８と、その下端にやはり外方に張り出してなる水平で且つ長さの長い下部張出部４９を有するとともに、上部張出部４８と下部張出部４９との間にリング溝５０が形成される（図２参照）。
【００３８】
栓体パッキン５２は、環状のシリコン製の部材であり、中栓４０の下部嵌合溝４４に嵌合される。そして、栓体２０が容器本体１０の開口部１４に取付けられると、その外周部は開口部１４の壁面に当接し、容器本体１０を密封する。そして、中栓４０に中栓パッキン４７及び栓体パッキン５２を取り付けた状態を図２及び図８（最下図）に示す。
【００３９】
ところで、この例の場合、容器本体１０の開口部１４の外周には、飲み口リング５５が取付けられる。この飲み口リング５５は、上下開口で筒状の樹脂部材であり、その上端には内方に張り出す形態で上面が円弧状で環状の円弧部５６を有し、さらにその内周には内方に張り出してなる環状の張出突起５７を有する。
【００４０】
そして、飲み口リング５５は、容器本体１０の小径部１６の外周に上方から取付けられる。その取付けは、飲み口リング５５の環状の張出突起５７を容器本体１０の小径部１６の外ケース外周ネジ１７に螺合するように回転しながら下方へ押し込んだり、或いは回転することなく下方へ押し込むことにより行われる。
【００４１】
そして、飲み口リング５５が小径部１６に押し込まれると、飲み口リング５５はそこに留まり、飲み口となる。その状態を図４に示す。このように飲み口リング５５を飲み口とすることにより、容器本体１０内の飲料物が飲みやすくなる。なお、この飲み口リング５５はなくてもよい。
【００４２】
栓体２０は以下のように組み立てられる。まず、中栓４０に中栓パッキン４７及び栓体パッキン５２を取り付け、中栓ユニットＹを形成する。次いで、中栓ユニットＹと栓カバー３０を組付ける。中栓ユニットＹの上方に栓カバー３０を置き、中栓４０のフランジ４１と栓カバー３０の窪み３３を合わせ、中栓４０のフランジ４１を栓カバー３０の窪み３３に嵌入する。
【００４３】
その状態で栓カバー３０を下方に押し込む。すると、栓カバー３０の中央開口３２の突起３４が中栓パッキン４７の上部張出部４８を乗り越えてリング溝５０に嵌合する。その結果、栓カバー３０と中栓４０との組立部は密閉状態になり、容器本体１０内の飲料物がこぼれ出ることはない。この時の押圧力は小さな力で行うことができる。そのため、栓カバー３０と中栓４０との分解組立は容易に行うことができる。このように、栓カバー３０と中栓４０との分解組立は、ネジではなく、単に上下方向の嵌合ないし切り離しで行われる。組み立てられた状態を図６（下図）に示す。
【００４４】
次いで、図６に示すように、組み立てられた栓カバー３０と中栓４０との上方に上栓２１を置き、上栓２１の内蓋２４の内蓋外周ネジ２４ｅを、中栓４０の中栓内周ネジ４５に螺合して結合する。この螺合によって、上栓２１と栓カバー３０と中栓４０との３部材を同時に結合することができる。結合した状態を図６に示す。即ち、３部材の取り付けを容易に行うことができる。
【００４５】
上栓２１と栓カバー３０と中栓４０との３部材を結合すると、栓カバー３０の内周面と中栓４０の外周面との間に環状溝５８（図５（Ｂ）参照）が形成されるとともに、この環状溝５８の上端部近傍には、中栓パッキン４７の下部張出部４９が見える状態に飛び出している（図２及び図５（Ｂ）参照）。
【００４６】
栓体２０を容器本体１０に螺合すると、螺合後では中栓パッキン４７の下部張出部４９の下面は、飲み口リング５５の上端部の円弧部５６に当接する。そのため、円弧部５６は急激な温度変化が防止され、この部分に結露が発生する弊害が防止される。
【００４７】
また、下部張出部４９が円弧部５６に当接しないと、円弧部５６からの放熱が発生するが、このような放熱も低減される。なお、請求項の「開口部の上部」は、飲み口リング５５がある場合は円弧部５６が相当し、ない場合は内ケース１１と外ケース１２の上端結合部近傍が相当する。
【００４８】
前記環状溝５８は、狭い空間であり、その箇所を洗うことは容易でないが、上栓２１と栓カバー３０と中栓４０とは分解可能であるため、環状溝５８を例えば食洗機等で洗うことができる。
【００４９】
さらには、少なくとも栓カバー３０と中栓４０とは単一部材であり、例えば上記の３部材からなる上栓２１に比べ分解後の洗浄がより容易になる。
【００５０】
本願発明は、上記実施例の構成に限定されるものではなく、発明の要旨を逸脱しない範囲において適宜設計変更可能であることは勿論である。
【符号の説明】
【００５１】
１０…容器本体              １１…内ケース
１２…外ケース              １３…底板
１４…開口部                １５…内ケース内周ネジ
１６…小径部                １７…外ケース外周ネジ
１８…内部空間              ２０…栓体
２１…上栓                  ２２…上蓋
２２ａ…円板部              ２２ｂ…係止片
２２ｃ…係止爪              ２３…蓋カバー
２３ａ…スカート部          ２３ｂ…中央開口
２３ｃ…直線部              ２３ｄ…嵌入溝
２３ｅ…係止部              ２３ｆ…メッキ処理
２４…内蓋                  ２４ａ…小径部
２４ｂ…大径部              ２４ｃ…直線部
２４ｄ…係合溝              ２４ｅ…内蓋外周ネジ
３０…栓カバー              ３１…スカート部
３２…中央開口              ３３…窪み
３４…突起                  Ｙ…中栓ユニット
４０…中栓                  ４１…フランジ
４２…上部嵌合溝            ４３…中栓外周ネジ
４４…下部嵌合溝            ４５…中栓内周ネジ
４７…中栓パッキン          ４８…上部張出部
４９…下部張出部            ５０…リング溝
５２…栓体パッキン          ５５…飲み口リング
５６…円弧部                ５７…張出突起
５８…環状溝
【図１】
0005929500.tif 000002
【図２】
0005929500.tif 000003
【図３】
0005929500.tif 000004
【図４】
0005929500.tif 000005
【図５】
0005929500.tif 000006
【図６】
0005929500.tif 000007
【図７】
0005929500.tif 000008
【図８】
0005929500.tif 000009
【図９】
0005929500.tif 000010